(57)【特許請求の範囲】
【請求項１】
装置本体から着脱自在な金庫を備えた紙葉類取扱装置であって、前記装置本体にはＩＤ番号読取手段を備え、前記金庫にはＩＤ番号記録媒体を備え、前記装置本体に金庫を装着することによって前記ＩＤ番号読取手段が前記ＩＤ番号記憶媒体からＩＤ番号を読み取るものにおいて、
前記ＩＤ番号記録媒体は、金属シート上に貼られた低反射率のシールが単位マトリックス毎に剥離自在に構成されたＩＤシートであって、前記ＩＤ番号読取手段は前記ＩＤシートのシールの剥離位置を検出するための反射光検出センサであることを特徴とする紙葉類取扱装置。
【請求項２】
装置本体から着脱自在な金庫を備えた紙葉類取扱装置であって、前記装置本体にはＩＤ番号読取手段を備え、前記金庫にはＩＤ番号記録媒体を備え、前記装置本体に金庫を装着することによって前記ＩＤ番号読取手段が前記ＩＤ番号記憶媒体からＩＤ番号を読み取るものにおいて、
前記ＩＤ番号記録媒体は、前記金庫の筐体上面にマトリックス状に設けた複数の穴の適所に高反射率のシートを張り付けて構成したものであって、前記ＩＤ番号読取手段は前記穴若しくはシートの位置を検出するための反射光検出センサであることを特徴とする紙葉類取扱装置。
【請求項３】
前記高反射率のシートの代わりにピンを用いて前記穴を覆うことを特徴とする請求項２記載の紙葉類取扱装置。
【発明の詳細な説明】
【発明の属する技術分野】
本発明は着脱自在な紙葉類収納用金庫を備えた紙葉類取扱装置に関し、特に前記金庫を識別するための手段を備えた紙葉類取扱装置の構成に関する。
【従来技術】
自動販売機や紙幣払出装置等、紙葉類を取り扱う装置においては、受け入れた紙葉類を格納するため又は払出のための準備金を格納するための金庫を備え、該金庫が装置本体から着脱できるように構成されている。このような交換可能な金庫は、該金庫に格納した紙葉類の種類及び枚数と、該紙葉類が格納された金庫との対応が求められていた。従って該金庫には固有の番号（ＩＤ番号）が割り当てられ、またそのＩＤ番号を読み取るための手段が必要とされた。
そこで従来の紙葉類取扱装置では、電子部品を用いてＩＤ番号を構成、設定した回路基板を前記金庫へ取り付け、一方装置本体側にＩＤ番号読取手段を設け、該回路基板とＩＤ番号読取手段とをケーブル接続することによりＩＤ番号読取可能に構成していた。
【発明が解決しようとする課題】
しかしながら、上述した従来の紙葉類取扱装置は金庫を交換する際に前記ケーブルを接続し直す必要があり、また前記回路基板を用いたＩＤ番号の付与は非常に構成が複雑であるという問題があった。
本発明は上記課題を解決するためになされたものであって、各金庫に対するＩＤ番号の付与が容易で、しかも金庫の着脱によらず読み取り操作が簡単な紙葉類取扱装置を提供することを目的とする。
【課題を解決するための手段】
上記課題を解決するために本発明は、装置本体から着脱自在な金庫を備えた紙葉類取扱装置であって、前記装置本体にはＩＤ番号読取手段を備え、前記金庫にはＩＤ番号記録媒体を備え、前記装置本体に金庫を装着することによって前記ＩＤ番号読取手段が前記ＩＤ番号記憶媒体からＩＤ番号を読み取るものにおいて、
前記ＩＤ番号記録媒体は、金属シート上に貼られた低反射率のシールが単位マトリックス毎に剥離自在に構成されたＩＤシートであって、前記ＩＤ番号読取手段は前記ＩＤシートのシールの剥離位置を検出するための反射光検出センサであることを特徴とする。
また本発明は、装置本体から着脱自在な金庫を備えた紙葉類取扱装置であって、前記装置本体にはＩＤ番号読取手段を備え、前記金庫にはＩＤ番号記録媒体を備え、前記装置本体に金庫を装着することによって前記ＩＤ番号読取手段が前記ＩＤ番号記憶媒体からＩＤ番号を読み取るものにおいて、
前記ＩＤ番号記録媒体は、前記金庫の筐体上面にマトリックス状に設けた複数の穴の適所に高反射率のシートを張り付けて構成したものであって、前記ＩＤ番号読取手段は前記穴若しくはシートの位置を検出するための反射光検出センサであることを特徴とする。  また本発明は、前記高反射率のシートの代わりにピンを用いて前記穴を覆うことを特徴とする。
【発明の実施の形態】
以下本発明を図面に示した実施の形態に基づいて詳細に説明する。
図１は本発明に係る紙葉類取扱装置の１形態例を示す概略構成図である。同図において、紙葉類取扱装置は装置本体１に金庫２が装着された状態であって、該金庫２は前記装置本体１から送り込まれた紙葉類を格納するものである。該金庫２は握手３を持ちながら引き出すことによって装置本体１から離脱することができる。
また該紙葉類取扱装置において、金庫２には図２に示すように筐体上面にＩＤ番号記録媒体４が取り付けられ、該ＩＤ番号記録媒体と対向する装置本体１内にはＩＤ番号読取手段５を配置している。ＩＤ番号読取手段５は、金庫１が装置本体１内に装着されている状態で、前記ＩＤ番号記録媒体４からＩＤ番号を読み取ることができる。
次にＩＤ番号記録媒体４について説明する。図３はＩＤ番号記録媒体の構成を示す斜視図であって、これはアルミ箔などの光反射の高い金属シート６上に光反射の少ない特性を有するシール７がマトリックス状に張り付けられたもの（以下ＩＤシートという）であり、該シール７は単位マトリックス毎に前記金属シート６に対して剥離自在に構成されている。そしてＩＤ番号の設定はシール７を単位マトリックス毎に剥がすことにより行われる。
一方、前記ＩＤ番号読取手段は図４のような構成である。発光素子８ａおよび受光素子８ｂからなる一対の光反射センサ８をシール７の各単位マトリックス毎に配置し、各発光素子８ａからＩＤシートに向けて照射した光の反射を受光素子８ｂが検出することによってＩＤ番号を読み取る。シール７が張り付けられたままの状態では発光素子８ａの光はシールによって吸収され、その反射光はほとんど得られないためデジタル値”０”を得る。またシール７が剥がされている部分では前記反射光が検出されてデジタル値”１”を得る。従って、光反射センサ８全体から得られるマトリックスパターンを読み取って、これを各金庫に対するＩＤ番号とする。
以上のような構成であるから、装置本体に金庫が装着された状態において、前記ＩＤ番号読取手段は前記ＩＤ番号記録媒体からＩＤ番号を読み取ることができる。尚、上記金庫筐体２の光反射率が高い場合には、シール７を金庫筐体２に直接張り付けてＩＤ番号記録媒体を構成してもよい。
次に前記ＩＤ番号記録媒体４の変形形態例を図５に基づいて説明する。同図に示すように、金庫２の筐体上面には複数の穴９をマトリックス状に設ける。そしてＩＤ番号の設定は、前記穴９を光反射率の高いシート１０で覆うことによって行われる。このように構成すれば上述したＩＤ番号読取手段を用いて次のようなマトリックスパターンが得られる。即ち、シール７が張り付けられた単位マトリックスでは発光素子８ａの光はシールによって反射されてデジタル値”１”が得られ、穴の空けられた単位マトリックスでは発光素子８ａの光が穴９を突き抜けて反射光が得られないためデジタル値”０”を得る。従って、光反射センサ８全体から得られるマトリックスパターンを読み取って、これを各金庫に対するＩＤ番号とする。尚、穴９を覆う手段としてはシートに限らず、図６に示すような金属ピン１１を穴９に差し込むことによって覆うようにしてもよい。
【発明の効果】
本発明は以上説明したようにＩＤ番号を設定するものであるから、非常に簡単な構成で金庫の識別が可能となり、また装置本体と金庫とは物理的に独立であるから従来の如くケーブルの抜き差し作業は不要となり、金庫の取り扱いが各段に向上するものである。
【図面の簡単な説明】
【図１】本発明に係る紙葉類取扱装置の１形態例を示す概略構成図。
【図２】本発明に係る金庫の外観構成図。
【図３】本発明に係るＩＤ記録媒体の構成の１形態例を示す斜視図。
【図４】ＩＤ番号（マトリックスパターン）を読み取る方法の説明図。
【図５】ＩＤ記録媒体の構成の変形形態例の説明図。
【図６】金属ピンを用いたＩＤ番号記録媒体を説明する斜視図。
【符号の説明】
１  ・・・  装置本体
２  ・・・  金庫
３  ・・・  握手
４  ・・・  ＩＤ番号記録媒体
５  ・・・  ＩＤ番号読取手段
６  ・・・  金属シート
７  ・・・  シール（低反射率）
８  ・・・  光反射センサ
９  ・・・  穴
１０  ・・・  シート（高反射率）
１１  ・・・  金属ピン
【図１】
0003716339.tif 000002
【図２】
0003716339.tif 000003
【図３】
0003716339.tif 000004
【図４】
0003716339.tif 000005
【図５】
0003716339.tif 000006
【図６】
0003716339.tif 000007